(57)【特許請求の範囲】
【請求項１】
並んで配置された複数のエネルギ貯蔵セル（１）と、前記複数のエネルギ貯蔵セル（１）を囲んでいる硬質シェル（１０）と、を備え、
前記硬質シェル（１０）は、少なくとも２つの異なる第一部分（１００Ａ）及び第二部分（１００Ｂ）を含み、前記硬質シェルの前記第一部分は下壁（１１０Ａ）からなる少なくとも１つの基準壁を含む電気的エネルギ貯蔵セットであって、
少なくとも１つのメイン壁（２１４、２２４、２４０）を含む弾性変形可能材からなる少なくとも１つの支持台（２００、２２０、２３０）を含み、前記支持台は、前記基準壁（１１０Ａ）と略垂直な垂直面に沿って延在し、且つ、前記複数のエネルギ貯蔵セルのうち２つの間に配置されることで、隣接するエネルギ貯蔵セル（１）の各対間に配置され、
前記基準壁（１１０Ａ）に対して前記各エネルギ貯蔵セルを押圧するために前記複数のエネルギ貯蔵セルの各々の一面を押圧するように設計されている押圧手段（３００）を含み、前記押圧手段（３００）は、前記硬質シェル（１０）の前記第一部分に着脱可能に取り付けられ、
少なくとも１つの前記支持台（２００、２２０、２３０）は、前記支持台の少なくとも１つの壁から突出している少なくとも１つの逆さ防止形状（２１５、２４２）を含み、前記逆さ防止形状は、前記メイン壁（２１４、２４０）から突出され、前記複数のエネルギ貯蔵セル（１）の間に配置されるように設計されていることを特徴とする電気的エネルギ貯蔵セット。
【請求項２】
少なくとも２つの支持台（２００、２２０）は前記複数のエネルギ貯蔵セルの各対の間のうち、前記基準壁（１１０Ａ）の近傍、及び、上壁からなる前記基準壁に対向する壁（１１０Ｂ）の近傍にそれぞれ延在している請求項１に記載の電気的エネルギ貯蔵セット。
【請求項３】
前記支持台（２００、２２０、２３０）の少なくとも１つの寸法は、前記エネルギ貯蔵セル（１）の前記支持台（２００、２２０、２３０）に隣接する壁の寸法未満となっていることを特徴とする請求項１又は２に記載の電気的エネルギ貯蔵セット。
【請求項４】
前記支持台（２００、２２０、２３０）の少なくとも１つは、少なくとも１つのエネルギ貯蔵セル（１）の２つの壁それぞれに沿って延び、互いに垂直である少なくとも２つの支持台壁（２１２、２１４；２２２、２２４、２２６；２３２、２３６、２４０）を含む請求項１から３のいずれか一項に記載の電気的エネルギ貯蔵セット。
【請求項５】
前記支持台の少なくとも１つの前記支持台壁（２１２；２２２、２２６；２３２、２３６）の配置は、前記支持台壁が前記複数のエネルギ貯蔵セル（１）と前記硬質シェル（１０）の前記基準壁（１１０Ａ）と平行である前記硬質シェルのシェル壁との間、又は、前記基準壁（１１０Ａ）に垂直な垂直面と前記支持台の前記メイン壁（２１４；２２４；２４０）との間のいずれかに配置されるように、選択されることを特徴とする請求項４に記載の電気的エネルギ貯蔵セット。
【請求項６】
少なくとも１つの前記支持台（２００、２２０、２３０）は、前記基準壁に対向する前記硬質シェルの壁（１１０Ｂ）と少なくとも１つの前記エネルギ貯蔵セル（１）との間を、好ましくは前記押圧手段（３００）と前記少なくとも１つのエネルギ貯蔵セル（１）との間を、延在している壁を含むことを特徴とする請求項４又は５に記載の電気的エネルギ貯蔵セット。
【請求項７】
少なくとも１つの前記支持台（２００、２２０、２３０）は、互いに直交している少なくとも３つの支持台壁（２２２、２２４、２２６；２３２、２３６、２４０）を含み、前記エネルギ貯蔵セルの角を囲んでいる立方体の角を形成するために少なくとも１つの前記エネルギ貯蔵セル（１）の３つの異なる壁に沿って延びていることを特徴とする請求項４から６のいずれか一項に記載の電気的エネルギ貯蔵セット。
【請求項８】
立方体の角の形状で複数の前記支持台（２００，２２０，２３０）を含み、前記複数の支持台それぞれは前記基準壁（１１０Ａ）、及び／又は、前記硬質シェル（１０）の前記基準壁に対向する壁（１１０Ｂ）に隣接している前記エネルギ貯蔵セル（１）それぞれの角それぞれと関連していることを特徴とする請求項７に記載の電気的エネルギ貯蔵セット。
【請求項９】
連続している支持台（２００、２２０、２３０）は、異なる前記複数のエネルギ貯蔵セル（１）と関連しており、
前記支持台は、
前記硬質シェルのシェル壁（１１０Ａ、１２０）に沿って延びている少なくとも１つの共有壁（２３２、２３６）と、
少なくとも２つの隣接している前記エネルギ貯蔵セル（１）の壁と、を備え、
前記支持台は、もしくは前記硬質シェル（１０）のシェル壁に沿ってすべて延在し、前記共有壁から突出している少なくとも１つの突出壁（２４０）を含み、
少なくとも１つの前記突出壁は、隣接している２つの前記エネルギ貯蔵セルの間を延在する前記メイン壁を形成していることを特徴とする請求項１から８のいずれか一項に記載の電気的エネルギ貯蔵セット。
【請求項１０】
前記電気的エネルギ貯蔵セットは、
第一共有壁（２３２）と、
前記第一共有壁と直交している第二共有壁（２３６）と、
前記メイン壁を形成している中央壁（２４０）と、を含む少なくとも１つの前記支持台（２３０）を含み、
前記中央壁は、前記第一共有壁（２３２）及び前記第二共有壁（２３６）と直交し、且つ、前記第一共有壁（２３２）の凹部及び前記第二共有壁（２３６）の凹部において前記第一共有壁及び前記第二共有壁と接続し、
前記中央壁は、立方体の角として形作られた二つの凹部（２３０Ａ、２３０Ｂ）を形成するために前記中央壁（２４０）のいずれか１つの側方に、特に前記中央壁（２４０）に対して相対的に対称的に配置されることを特徴とする請求項９に記載の電気的エネルギ貯蔵セット。
【請求項１１】
前記硬質シェル（１０）は、壁の１つに、前記基準壁（１１０）又は前記基準壁に対向する壁を含み、少なくとも１つのレール（１１２）は、少なくとも１つの前記支持台（２００、２２０、２３０）の配置位置を与えることを特徴とする請求項１から１０のいずれか一項に記載の電気的エネルギ貯蔵セット。
【請求項１２】
前記電気的エネルギ貯蔵セットは、Ｌ字形状の２つの対称部を有するパッド（２００）の形状で少なくとも１つの前記支持台（２００）を含み、
２つの前記対称部は、２つの翼（２１４）の間に開口を有しつつ、２つの前記対称部の頂点で接続されており、頂点の下方では、前記硬質シェルの前記レール（１１２）に前記パッド（２００）を係合可能とし、
２つの前記翼は、２つの隣接している前記エネルギ貯蔵セルの間に配置されることで前記支持台の前記メイン壁を形成するように設計されていることを特徴とする請求項１１に記載の電気的エネルギ貯蔵セット。
【請求項１３】
少なくとも１つの前記支持台（２００、２２０、２３０）は、熱的絶縁材からなることを特徴とする請求項１から１２のいずれか一項に記載の電気的エネルギ貯蔵セット。
【請求項１４】
前記熱的絶縁材は、ゴムのようなエラストマー、非金属多孔材、熱可塑材又はＥＰＤＭであることを特徴とする請求項１３に記載の電気的エネルギ貯蔵セット。
【請求項１５】
少なくとも１つの前記支持台（２００、２２０、２３０）は、前記硬質シェル（１０）のシェル壁（１１０、１２０）の１つと連続している、若しくは、前記硬質シェル（１０）のシェル壁（１１０、１２０）の１つと適合しており、又は直接的に前記エネルギ貯蔵セル（１）と適合していることを特徴とする請求項１から１４のいずれか一項に記載の電気的エネルギ貯蔵セット。
【請求項１６】
少なくとも１つの前記支持台（２００、２２０、２３０）は、前記支持台の前記支持台壁から突出している幾つかの平行フィン（２３７）を含み、前記複数のエネルギ貯蔵セル（１）の製造公差を補うため、前記エネルギ貯蔵セルの壁と協働するように設計されていることを特徴とする請求項１から１５のいずれか一項に記載の電気的エネルギ貯蔵セット。
【請求項１７】
前記押圧手段（３００）と関連している着脱可能な取付け手段は、前記基準壁より前記基準壁に対向する壁の方が近くなるように配置されることを特徴とする請求項１から１６のいずれか一項に記載の電気的エネルギ貯蔵セット。
【請求項１８】
前記硬質シェルの前記基準壁に対向する壁は、前記押圧手段（３００）として働くことが可能であることを特徴とする請求項１から１７のいずれか一項に記載の電気的エネルギ貯蔵セット。
【請求項１９】
少なくとも１つの前記押圧手段（３００）は、最も多くて２つの前記エネルギ貯蔵セルを押圧するように構成されていることを特徴とする請求項１から１８のいずれか一項に記載の電気的エネルギ貯蔵セット。
【請求項２０】
前記押圧手段（３００）は、前記硬質シェル（１０）に、特に前記硬質シェルの前記第一部分に、取付けられるように設計されたＬ字形状の要素（３１０、３２０、３３０）を含み、
前記Ｌ字形状の要素は、少なくとも１つの前記エネルギ貯蔵セルの一面（２）を押圧し、前記基準壁（１）に対向する壁に沿って、特に２つの前記エネルギ貯蔵セルの境界面において、延びるように設計されていることを特徴とする請求項１９に記載の電気的エネルギ貯蔵セット。
【請求項２１】
前記Ｌ字形状の要素（３２０、３３０）の配置位置が前記複数のエネルギ貯蔵セル（１）の構成に応じて変更可能であるように、
前記硬質シェルの前記基準壁（１１０Ａ）と一体である基部（１４０）を含み、且つ、前記Ｌ字形状の要素（３２０、３３０）が、前記基部と比較して幾つかの位置で配置可能であるように、傾斜している傾斜面（１４２）を有することを特徴とする請求項２０に記載の電気的エネルギ貯蔵セット。
【請求項２２】
前記押圧手段（３００）は、２つの撚線によって形成され、繋がれた一端が前記基準壁（１１０Ａ）に接続されるストラップ（３４０）を含み、前記ストラップは少なくとも１つの前記エネルギ貯蔵セル（１）を囲むために任意の端部近傍に協働するように設計されていることを特徴とする請求項１から２１のいずれか一項に記載の電気的エネルギ貯蔵セット。
【請求項２３】
並んで配置された複数のエネルギ貯蔵セルと、前記複数のエネルギ貯蔵セルを囲んでいる硬質シェルと、を備え、
前記硬質シェルは、２つの異なる第一部分及び第二部分を含み、前記硬質シェルの前記第一部分は下壁からなる前記基準壁を含む電気的エネルギ貯蔵セットの組立て方法であって、
複数の弾性変形可能な支持台（２００；２２０；２３０）が配置されている前記電気的エネルギ貯蔵セットの基準壁（１１０）上に、少なくとも１つの前記支持台（２００；２２０；２３０）が隣接している前記複数のエネルギ貯蔵セル（１）の各対の間に配置されるように、前記エネルギ貯蔵セル（１）を設置するセル設置ステップと、
前記基準壁（１１０）を備える前記硬質シェル（１０）の前記第一部分に対して着脱可能に取り付けられるように、前記硬質シェル（１０）の前記基準壁（１１０）に対して前記複数のエネルギ貯蔵セルを押圧するために前記複数のエネルギ貯蔵セル（１）に対して押圧するように構成されている押圧手段（３００）を設置する押圧手段設置ステップと、を含み、
少なくとも１つの前記支持台（２００、２２０、２３０）は、前記支持台の少なくとも１つの壁から突出している少なくとも１つの逆さ防止形状（２１５、２４２）を含み、前記逆さ防止形状は、前記メイン壁（２１４、２４０）から突出され、前記複数のエネルギ貯蔵セル（１）の間に配置されるように設計されている電気的エネルギ貯蔵セットの組立て方法。
【請求項２４】
前記基準壁（１１０）の予め決められた位置において前記基準壁（１１０）に弾性変形可能な前記支持台（２００；２２０；２３０）を設ける前記設置ステップを含むことを特徴とする請求項２３に記載の電気的エネルギ貯蔵セットの組立て方法。
【請求項２５】
付加的で変形可能な前記支持台（２００；２２０；２３０）は、変形可能な前記支持台（２００；２２０；２３０）が、前記押圧手段（３００）の取付け前に、前記基準壁に対向する壁の近傍において２つの前記エネルギ貯蔵セル（１）の間に、及び／又は、少なくとも１つの前記エネルギ貯蔵セルと前記硬質シェルの前記基準壁に対向する前記壁との間に配置されるように、前記エネルギ貯蔵セル（１）に設けられることを特徴とする請求項２３又は２４に記載の電気的エネルギ貯蔵セットの組立て方法。
【発明の詳細な説明】
【技術分野】
【０００１】
本発明の対象は、電気的エネルギ貯蔵セットの創作であり、特に電気的車両に関する。
【０００２】
電気的バッテリを使用して作動している幾つかの車両は知られている。一般的に、これらの車両は床に配置されているエネルギ貯蔵セットを含み、該エネルギ貯蔵セットは堅い硬質シェルと、該硬質シェル内に複数の貯蔵セル（又は電気的バッテリ）とを備える。各セルは、ケースの中に配置されている複数の陰極と複数の陽極とを含み、セルは一連に接続されている。
【０００３】
本発明は、エネルギ貯蔵セットを形成するためのエネルギ貯蔵セルの機械的組立て分野に含まれる。
【背景技術】
【０００４】
複数のエネルギ貯蔵セルを備える幾つものバッテリセットが、先行技術で知られている。
【０００５】
ある特定の実施形態によると、このようなエネルギ貯蔵セルそれぞれは、平行六面体のハウジングを備え、該ハウジングは対向する２つの側面を含み、配置手段が隣接しているセルの相補的手段と協働可能とする。
【０００６】
配置手段が使用されると、ハウジングを相互接続する取付け手段が、２つずつ、取付けられ、硬質な梁が設けられる。このような取付け手段は、交差するように重ね合わせられた交差部材を各セルの上部に接続し、該交差部材はセルの側壁から突出している。また、取付け手段はセルをシェルに接続している。下部において、交差部材は、例えば、セルの各対の間に適用されており、該交差部材は配置手段に基づいており、また、シェルに梁を繋ぐためにシェルの底部に取付けられている。
【発明の概要】
【発明が解決しようとする課題】
【０００７】
このような実施形態では、結果として生じるエネルギ貯蔵セットの適切な剛性と同様にハウジングの良好な相互接続を可能とする。しかしながら、分解不可能となり、且つ、セルの各々に容易に干渉できないので、このような実施形態はセルのメンテナンス操作を複雑にする。１つのセルに到達するために、実際にセルのセットによって形成された梁を、シェルから引き出し、セル間の接続を分解し、ケーブルを取り外す必要がある。同様に、エネルギ貯蔵セットを分解するために、異なるセルを使用している硬質な梁を再組立てし、ケーブルを再び設け、シェル内に梁を交換して取付ける必要がある。
【０００８】
さらに、車両の回転により生じた振動は、プラスチック変形であって、接続の破壊となるセル間の接続のピーニングを生じうる。その結果、エネルギ貯蔵セットの製品寿命、又は騒音の発生を減少させる。
【０００９】
本発明は、車両内において、エネルギ貯蔵セットの使用に適したエネルギ貯蔵セット内のセルを組立てるためのシステムを提供することを目的とする。特に、メンテナンス操作を容易にするために、エネルギ貯蔵セットの分解を簡単にしつつ、振動を抑制する。本発明は、その機械的設計を最適化しつつ、エネルギ貯蔵セットの製品寿命を改善する目的を有する。
【課題を解決するための手段】
【００１０】
このような目的のために、本発明は、並んで配置された複数のエネルギ貯蔵セルと、エネルギ貯蔵セルを囲んでいる硬質シェルと、を備え、
硬質シェルは、少なくとも２つの異なる第一部分及び第二部分を含み、硬質シェルの第一部分は少なくとも１つの基準壁を、特に下壁からなる基準壁を、含むエネルギ貯蔵セットであって、
少なくとも１つのメイン壁を含む弾性変形可能材からなる少なくとも１つの支持台を含み、支持台は、基準壁と略垂直な垂直面に沿って延在し、且つ、２つのエネルギ貯蔵セルの間に配置されることで、隣接するエネルギ貯蔵セルの各対間に配置され、
基準壁に対して各エネルギ貯蔵セルそれぞれを押圧するためにエネルギ貯蔵セルの各々の一面を押圧するように設計されている押圧手段を含み、押圧手段は、硬質シェルの第一部分に取り外し可能性を有して取り付けられるエネルギ貯蔵セットを提供することを目的とする。
【００１１】
このように、エネルギ貯蔵セルは、互いに取り付けられずに、さりとて振動によって衝突されずにエネルギ貯蔵セット内に並んで配置されている。変形可能な支持台は、実際にセルの衝突を回避可能であり、このためエネルギ貯蔵セットの位置が異なるとしても自動車両の需要環境に適合している。また、押圧手段はシェルと相対的にエネルギ貯蔵セルを固定可能である。このようにエネルギ貯蔵セルは、互いに独立して分解可能である。エネルギ貯蔵セットからエネルギ貯蔵セルを取り外すために、実際には着脱可能な押圧手段の取付けを取り外すのに十分である。エネルギ貯蔵セットを維持するために、エネルギ貯蔵セットから全てのエネルギ貯蔵セルを取り外す必要なく、選択されたセルを取り外し可能である。
【００１２】
以降では、少なくとも１つのエネルギ貯蔵セルは、好ましくは各セルは、略平行六面体のハウジングを含むとみなされる。
【００１３】
特徴を限定することなく、本発明の他の有利に関する支持台は次の通りである。
−少なくとも１つの支持台の寸法は、エネルギ貯蔵セルの支持台と関連する壁の寸法未満となっている。このように、製造コストは、エネルギ貯蔵セルの有効面を減らすことで減少される。実際に、支持台は、エネルギ貯蔵セルが衝突する可能性が大きい重要な位置に配置されることは十分である。
−少なくとも２つの支持台はエネルギ貯蔵セルの各対の間を延在しており、基準壁の近傍及び基準壁に対向する壁の近傍、特に上壁からなる壁の近傍に延在している。このような支持台は、振動を受けるエネルギ貯蔵セルをより適切に防護可能である。
−少なくとも１つの支持台は、特に全支持台は、少なくとも１つのエネルギ貯蔵セルの少なくとも２つの異なる壁に沿って延びるように設計された２つの壁を含む。好ましくは、支持台の壁は互いに略垂直となっている。このように、振動は、エネルギ貯蔵セルとエネルギ貯蔵セルの隣接している壁との衝突を回避することによって、より適切に減衰され、エネルギ貯蔵セルは２方向で補強されている。例えば、このような壁の１つはエネルギ貯蔵セルとエネルギ貯蔵セルの基準壁、特に下壁、との間に配置可能である。また、ある壁はハウジングの基準壁、特に下壁、に略垂直となっており、且つ、支持台のメイン壁に略垂直となっており、エネルギ貯蔵セルの間に配置されている。
−少なくとも１つの支持台は、基準壁に対向する壁（好ましくは上壁）とエネルギ貯蔵セルとの間を、特に押圧手段とエネルギ貯蔵セルとの間を、延在している壁を含むことができる。このように、このような支持台はエネルギ貯蔵セルの補強を改善可能であり、離れている基準壁からエネルギ貯蔵セルに伝わった振動を減衰可能である。
−好ましくは、各支持台は少なくとも１つのエネルギ貯蔵セルの３つの異なる壁に沿って延びている３つの支持台壁を含むことができる。３つの支持台壁は、互いに略垂直であり、エネルギ貯蔵セルのハウジングの角を適合するように設計されている。このように、支持台壁はエネルギ貯蔵セルの角に対して相補的な形状を有している。実際に、支持台壁は、立方体の角のように配置されている。エネルギ貯蔵セットは、より多くの支持台を、少なくとも４つの支持台を、好ましくは８つの支持台を、含み、各支持台は基準壁、又は、基準壁に対向する壁、に隣接している各エネルギ貯蔵セルのハウジングの角と関連している。このように、支持台は、エネルギ貯蔵セルの衝突を回避するが、またエネルギ貯蔵セルが下壁又は上壁において、且つ、側壁において、硬質シェルとの衝突を回避しつつ、３方向においてエネルギ貯蔵セルを補強可能である。さらに支持台の寸法は、特に構成で減少可能である。実際に、支持台が、少なくとも全ての支持台が、エネルギ貯蔵セルの壁に沿って延在することは不要である。各ハウジングの角を変えることで、各エネルギ貯蔵セルと硬質シェルとの間、又は、隣接しているエネルギ貯蔵セルの間の直接的な接触は、防止される。
−また、当然ながら、支持台は他の形状を有することが可能である。支持台は、一方向にのみ、及び／又は、寸法のすべてに対してエネルギ貯蔵セルの壁に沿って延在可能である。
−本発明に係る変形例によると、基準壁と関連している支持台は連続的である。例えば、ある支持台は、エネルギ貯蔵セルの壁、及び、少なくとも２つの隣接しているエネルギ貯蔵セルの対応する壁に沿って延びている少なくとも１つの共有壁を含むことができ、もしくは硬質シェルの壁に沿って延在している。支持台は、共有壁から突出している少なくとも１つの突出壁を備え、少なくとも１つの突出壁は２つの隣接しているエネルギ貯蔵セルの間を延在するメイン壁を形成している。例えば、櫛形状の支持台又はレールは、全エネルギ貯蔵セルを補強するために上壁の近傍又は下壁の近傍に配置されている。
−特に、少なくとも１つの支持台は、第一共有壁と、第一共有壁と直交している第二共有壁と、メイン壁を形成している中央壁と、を含むことができる。中央壁は、第一共有壁及び第二共有壁と直交し、特に第一共有壁の幅の中間及び第二共有壁の幅の中間において、第一共有壁によって形成された凹部及び第二共有壁によって形成された凹部において、第一共有壁及び第二共有壁と接続している。中央壁は、立方体の角として形作られた二つの凹部を形成するためにメイン壁のいずれか１つの側方に、特にメイン壁に対して相対的に対称的に配置される。言い換えると、本実施形態に係る支持台は、取付けられたエネルギ貯蔵セルの角に相補的であり、連続的な形状を備える２つの実施形態と略同一である。このような構成は、支持台の数を制限可能とし、関連するエネルギ貯蔵セットの製造コストを制限可能とする。
−また、支持台は、支持台が弾性的に変形可能材からなるパッドを備えたよりシンプルな形状を有する場合には、結合可能である。支持台は、硬質シェルの壁に対してエネルギ貯蔵セルの振動を回避するために、硬質シェルの壁に配置されるように設計されている。
−また、硬質シェルは、壁の１つを、特に基準壁又は基準壁に対向する壁を、含むことが可能であり、少なくとも１つのレールは、少なくとも１つの支持台の配置位置を与える。少なくとも１つの支持台は、Ｌ字形状のような２つの対称部を有するパッドの形状で構成され、２つの対称部の間に開口を有することを可能としつつ、２つの対称部の頂点で接続されており、頂点の下方では、硬質シェルのレールにパッドを係合可能とし、２つの翼は
２つの隣接しているエネルギ貯蔵セルの間に配置されることで支持台のメイン壁を形成するように設計されている。
−好ましくは、支持台は、エネルギ貯蔵セルと硬質シェルとを熱的に分離するため、周囲にある空気と硬質シェルの接触による熱的損失を制限するため、熱的絶縁材からなる。明らかに、支持台は、エネルギ貯蔵セルと硬質シェルとの熱的絶縁を支持台そのもので与える必要はない。
−支持台は、特に、ゴムのような弾性材、ＥＰＤＭ、熱可塑剤、非金属多孔材（泡状物質）からなる。
−少なくとも１つの支持台は、エネルギ貯蔵セットの壁（特に上壁又は下壁）と連続的、又は、適合されている。また、支持台は直接的にエネルギ貯蔵セルと適合可能である。
−また、支持台は壁の１つから突出している幾つかのタイプの非反転取付具を含むことができ、非反転取付具は特にエネルギ貯蔵セルの間に配置されるように設計されている壁から突出しており、エネルギ貯蔵セルが支持台から離すことを回避可能である。このような非反転形状は、もしくはエネルギ貯蔵セルのハウジングと協働可能であり、例えば、エネルギ貯蔵セルのハウジングの切り目に係合することで、又は、粗い面若しくは接着性を有する面に対してこすりつけることで、協働可能である。
−また、支持台は、支持台の壁の１つから突出し、平行に延在している複数の平行フィンを含むことができ、平行フィンの寸法が平行フィンに垂直な方向においてどのようなものであっても、エネルギ貯蔵セルの補強を可能とするために、エネルギ貯蔵セルの壁と協働するように設計される。このように、エネルギ貯蔵セルの製造公差は、考慮されている。
【００１４】
特徴を限定することなく、本発明の他の有利に関する押圧手段は次の通りである。
−押圧手段と関連している着脱可能な取付け手段は、基準壁より基準壁に対向する壁の方が近くなるように構成されている。言い換えると、基準面が下壁であるときに、押圧手段は、好ましくは、硬質シェルの上側半分に配置され、より容易にアクセス可能である。
−好ましくは、押圧手段は、支持台が受ける振動にも関わらず支持台を防護するために、エネルギ貯蔵セルと基準壁に対向するエネルギ貯蔵セットの壁、特に上壁、との間に配置されている支持台を押圧するように設計されている。当然ながら、支持台がエネルギ貯蔵セルの上壁と連続的であるときには不要である。このような場合、シェルの上壁は、押圧手段として働くことができる。機械的特性が適切である場合に必要となる。このため、基準壁に対向する壁とは異なる押圧手段を有することは有利になりうる。
−押圧手段は、一度に最大で２つのエネルギ貯蔵セルのみを支持するように構成されており、エネルギ貯蔵セルのぞれぞれの仕様（製造公差）をより適切に管理可能とする。また、本発明はエネルギ貯蔵セルのそれぞれ（硬質シェルの上壁、エネルギ貯蔵セットの寸法を超えて延在している交差部材）を押圧する押圧手段を含む。
−押圧手段は、硬質シェルに、特に硬質シェルの第一部分に、取付けられるように設計されたＬ字に形作られたＬ字形状の要素を含む。Ｌ字形状の要素は、少なくとも１つのエネルギ貯蔵セルの壁を、特に２つのエネルギ貯蔵セルの境界面において押圧する。また、押圧手段は、２つの撚線によって形成され、繋がれた一端が硬質シェルの基準壁に取付けられているストラップを含むことができ、ストラップは少なくとも１つのエネルギ貯蔵セルを、特に各セルを、囲むために任意の端部近傍に協働するように設計されている。
−Ｌ字形状の要素は、Ｌ字形状の要素の配置位置がエネルギ貯蔵セルの構成（特に製造公差）に応じて高さ方向にわずかに変更可能であるように、硬質シェルと、特に第一部分と、又は、Ｌ字形状の要素が配置されている下部と、一体である基部と比較して幾つかの配置位置をとるように構成されている。このようにエネルギ貯蔵セルはＬ字形状の要素によって、正確に塞ぐことができる。
−好ましくは、Ｌ字形状の要素及びその基部それぞれは、全エネルギ貯蔵セルが基準壁と垂直方向の寸法と厳密には同一ではなくても、基準壁に対して正確に押圧可能であるように、硬質シェルの基準壁と比較して傾斜が０度ではない傾斜を含む。
−Ｌ字形状の要素は、支持台を適用するように設計可能である。
【００１５】
特徴を限定することなく、本発明の他の有利に関するシェルは次の通りである。
−硬質シェルは、略平行六面体の形状を有する。
−硬質シェルは、基準壁に、及び／又は、基準壁に対向する壁に、少なくとも１つの支持台を配置するための壁に略垂直に延在している少なくとも１つのレールを含み、支持台は、必要ならば、上述したように、レールのいずれかの側方それぞれに配置されるように設計されている少なくとも２つの部分を含む。このようなレールは、エネルギ貯蔵セルのそれぞれに対して異なる配置を示すことが可能となる。各レールは、例えば、補強材に配置されているガセットであってもよい。ガセットは、硬質シェルの下壁の寸法を越えて延在可能であり、又は下壁の寸法の一部を超えて、特に下壁の端部のそれぞれの近接に延在可能である。
−また、硬質シェルは、硬質シェルの下壁と比較して、特にレールと比較して、支持台のために着脱可能な取付け手段を含む。
−硬質シェルは、一方で、特に下方となる基準壁及び側壁を備える第一部分と、基準壁に対向し特に上方となる壁（カバーを形成している）を備える第二部分と、を含む。これは、エネルギ貯蔵セットを分解可能な構成に関して最もシンプルなソリューションであり、エネルギ貯蔵セルは上述から硬質シェルから取り出される。あるいは、上壁は側壁と連続的であることが可能である。また、硬質シェルは、上壁及び他の下壁を含むように、二つのハーフシェルを含むことが可能である。また、硬質シェルの壁は他の壁とは独立可能である。
【００１６】
また、本発明は、次のステップを含む本発明に係る前述したエネルギ貯蔵セットの組立て方法に関する。
−弾性的に変形可能な複数の支持台を配置されるエネルギ貯蔵セットの基準壁を形成するように設計されている壁上に、特に下壁上に、少なくとも１つの支持台が隣接しているエネルギ貯蔵セルの各対の間に配置されるように、エネルギ貯蔵セルを設置するセル設置ステップを含む。
−基準壁を備える硬質シェルの第一部分に対して着脱可能に取り付けられるように、硬質シェルの基準壁に対してエネルギ貯蔵セルを押圧するためにエネルギ貯蔵セルに対して押圧するように構成されている押圧手段を設置する押圧手段設置ステップを含む。
【００１７】
好ましくは、電気的エネルギ貯蔵セットの組立て方法は、変形可能な支持台を、基準壁の予め決められた位置でシェルの基準壁に配置する予備的ステップを含む。
【００１８】
好ましくは、押圧手段は、よりアクセスが容易であり、分解が容易であるように、基準壁に対向する壁の近傍に取付けられる。
【００１９】
また、エネルギ貯蔵セットの組立て方法は、押圧手段が硬質シェルに対して取り付けられる前に、変形可能な支持台が硬質シェルの基準壁に対向する壁の近傍の２つのエネルギ貯蔵セルの間に、及び／又は、少なくとも１つのエネルギ貯蔵セルと硬質シェルの基準壁に対向する壁との間に配置されるように、エネルギ貯蔵セルに付加的で変形可能な支持台を設置する支持台設置ステップを含む。
【図面の簡単な説明】
【００２０】
本発明に係るほかの特徴、狙い、利点は、後述する詳細な説明を読んで、より明瞭に主張される。詳細な説明は、非限定的な例示によって添付された図面を参照する。
【図１】エネルギ貯蔵セットのシェルの斜視図であって、特に、下壁による支持台を構成するレールとパッドを示しており、相補的上壁を概略的に示している。
【図２】支持台の間に配置される隣接している他のセルと接触するセルの端部を側面から示した側面図である。
【図３】配置において支持するためのレバーからなる押圧手段を示した斜視図である。
【図４】Ｌ字形状の要素からなる押圧手段を示した斜視図である。
【図５】設けられたＬ字形状の要素を示した斜視図である。
【図６】本発明の別の実施形態に係る支持台を示した斜視図である。
【図７】本発明に係る別の押圧手段を示した斜視図である。
【図８】エネルギ貯蔵セルに設けられたストラップの形状に関して、本発明に係る押圧手段の変形の実施形態を示した図である。
【発明を実施するための形態】
【００２１】
先行文献で示されたように、本発明は複数のエネルギ貯蔵セル１を含むエネルギ貯蔵セット、すなわち基本の電気的バッテリ、を対象としている。図１に示すように、４つのエネルギ貯蔵セル１を受け入れるように設計されているが、この数は限定的なものではない。
【００２２】
各エネルギ貯蔵セルは、電解質を介して積層された複数の電極（陽極及び陰極）を含み、電気的に相互接続されている。積層された電極は、エネルギ貯蔵セルを他の電気的要素に、特に他のエネルギ貯蔵セルに、接続するための端子を備える平行六面体のハウジング内に挿入されている。これは、すでに当業者に知られており、それゆえ以降では詳細に説明しない。
【００２３】
エネルギ貯蔵セルは、電気的端子を通して一連に接続されており、シェル１０を備えるエネルギ貯蔵セットを形成している。該シェルもまた平行六面体であり、エネルギ貯蔵セルが配置されている。また、このような一般的構造は既に当業者に知られている。
【００２４】
図１に示した実施形態によると、硬質シェルは２つのハーフシェル１００Ａ、１００Ｂを含む。２つのハーフシェルは、対称的であってもよい。下方にあるハーフシェル１００Ａ（第１部分とも呼ぶ）は、図１においてより正確に示されている。各ハーフシェル１００は、上方又は下方において、シェルのシェル壁１１０の１つと、側壁１２０のそれぞれの一部とを含む。好ましくは、壁１１０は、直角の外形を有する。側壁１２０の各部は、例えば、組立てられた状態において、シェルの高さの半分を覆うことができる。ハーフシェル１００は、幾つかの適切な手段によって他方のシェルに取付けられており、例えば、螺子のような螺合手段又は側壁１２０の先端において形成されている取付け開口部１２２に挿入される合わせ釘を使用し、他のハーフシェル１００Ｂ（第２部分とも呼ぶ）の相補的開口部１２３に直面して配置されるように設計されている。また、シェルは、好ましくは、任意の端部、又は、２つの側壁１２０、典型的には２つの対向する側壁、の上端部において、これらの側壁に対して垂直に、且つ、側壁１２０から外側方向（且つ、下側１１０Ａに対して平行に）に延在する第一フィン１２４を含む。第一フィン１２４は、例えば車両用の環境に沿ってエネルギ貯蔵セットを取付けるための開口部１２５を含む。
【００２５】
図１に示すように、シェルは２つのハーフシェル１００によって形成可能である。
【００２６】
エネルギ貯蔵セル１は、セルそれぞれの長手方向が平行であるように、シェル１０内に並んで、好ましくは電気的接続を容易にするために同じ側面に外部端子を伴って、配置されるように設計されている。
【００２７】
本発明に係る第一実施形態は、図１〜図５を参照しながら明確に説明される。
【００２８】
第一実施形態によると、本開示においてエネルギ貯蔵セットの基準壁であるとみなされる下壁１１０Ａは、２つの側壁１２０に対して平行に延在するレール１１２を含む。例えば、レール１１２は、第一フィン１２４を担持している側壁１２０に対して垂直となり、互いに平行であり、全て対応している下壁１１０Ａの寸法に実質的に沿っている。レール１１２は、エネルギ貯蔵セル１のそれぞれに与えられる配置の間に区切りを作る。レール１１２のそれぞれは、特に、下壁１１０Ａから略垂直に突出している平らな直線壁１１４を含む。
【００２９】
各レール１１２は、レールの端部近傍に、エラストマーからなる２つの第一パッド２００を適応させるように設計されている。各第一パッド２００は、支持台を形成する。
【００３０】
図１及び図２に示された実施形態によると、各第一パッド２００は、レール１１２から突出している直線壁１１４のいずれかの側方それぞれに延在するように設計されている２つの部分２１０Ａ、２１０Ｂを含む。これら２つの部分２１０Ａ、２１０Ｂは、レール１１２の直線壁１１４に対して相対的に対称である。各部分２１０Ａ、２１０Ｂは、Ｌ字形状を有している。２つの部分２１０Ａ、２１０Ｂは交差点において接続されている。このように、各部分２１０Ａ、２１０Ｂは、下壁１１０Ａに対して略平行であり、且つ、下壁１１０Ａに接している第一翼２１２と、第一翼２１２に対して垂直となり、レール１１２の直線壁１１４に対して平行となり、且つ、レール１１２の直線壁１１４に接している第二翼２１４と、を含む。２つの部分２１０Ａ、２１０Ｂは、第二翼２１４の上端部において接続されている。実際に、上端部において連続的に接続されている。しかしながら、第一パッド２００は、各第一パッド２００がレール１１２の直線壁１１４に係合するように、２つの翼の間に、交差点の下方に、穴を有する。第一パッド２００のそれぞれは、異なる２つのエネルギ貯蔵セル１（最端のレールに配置された第一パッド２００を除いて、図２の右側に図示されているように、シェルの短手壁に最も近くなるように配置される）に接触するように配置されており、２つの部分２１０Ａ、２１０Ｂは、２つのエネルギ貯蔵セル１のうちの１つにそれぞれ接している。
【００３１】
各第一パッド２００の２つの部分２１０Ａ、２１０Ｂそれぞれの第二翼２１４は、爪、又は、第二翼から突出している縁２１５のような逆さ防止形状を有しており、逆さ防止形状はシェル１０の下壁１１０Ａに向かって突出している。このような形状をしている縁２１５は、エネルギ貯蔵セルのハウジングに形成されたレリーフ形状（凹み又は突出フィン）と協働可能であり、エネルギ貯蔵セット内で各エネルギ貯蔵セル１をより適切に保持可能である。
【００３２】
図２で示した実施形態によると、エネルギ貯蔵セルのハウジングは縁２１５を補完する特定の形状を含まない。各エネルギ貯蔵セル１を保持することで、ハウジングと縁２１５との間に単に摩擦力を与えられる。実際に、第一パッド２００の縁２１５の第一翼２１２に向かって横斜するために、縁２１５はエネルギ貯蔵セルが上方から下方に向かってシェル１０内に滑りこむ時に簡単に曲がることができる。言い換えると、縁２１５は、エネルギ貯蔵セルがシェル１０に挿入されるときに、幅寄せする。しかしながら、いったん配設が完了すると、縁２１５はエネルギ貯蔵セル１の脱落を防止するように予め荷重されているので、エネルギ貯蔵セルを上方に変位させるのは困難である。このように、エネルギ貯蔵セルはシェル１０の下壁１１０Ａにおいて効果的に保持されている。さらに、第一パッド２００の垂直な翼２１４は、隣接するエネルギ貯蔵セル１の各対の間に配置され、回転している車両によって生成されるような振動を生成するときに、エネルギ貯蔵セルが互いに衝突することを回避する。水平な翼２１２は、車両が使用されているときに、下壁１１０Ａとエネルギ貯蔵セルとの間での破壊的な接触を回避可能である。支持台２００は、有利には、支持台に弾性力を与えるＥＰＤＭからなり、また、支持台２００は、ＥＰＤＭが熱的に絶縁するので、エネルギ貯蔵セットの他の要素から、特にシェル１０から、各エネルギ貯蔵セル１を熱的に分離する。
【００３３】
図１に示すように、シェル１０及びその側壁１２０は、好ましくは、シェルを補強する補強手段１３０を含む。補強手段１３０は、特に、レール１１２と同じ方向に延出している側壁１２０に、側壁１２０の中央に（図１において１つの第一ブロック１３２が視認できる）、配置されている第一ブロック１３２を含む。第一ブロック１３２は、例えば、側壁１２０に適応している板金からなる。第一ブロック１３２のそれぞれは中央壁３３を有し、該中央壁は、２つの取付けフィン１３５が第一ブロック１３２の中央壁１３３のいずれか一つの側方に配置され、且つ、シェル１０の側壁１２０に対して押圧されていることと同様に、取付けられ、中央壁から離間されるシェルの側壁１２０に対して略平行となっている。また、第一ブロック１３２は、取付けフィン１３５を中央壁１３３に接続している２つの横斜壁１３４を含む。
【００３４】
また好ましくは、補強手段１３０は、レール１１２と垂直である側壁１２０に適用された第二ブロック１３６を含む。よって、レール１１２と垂直である側壁１２０の１つは、例えば側壁１２０に適用された板金からなる複数の第二ブロック１３６を含み、第二ブロック１３６はレール１１２のそれぞれにおいてより多く側壁１２０に適用されている。各第二ブロック１３６は、第一ブロック１３２と実施的に同一形状を有し、それゆえに側壁１２０から離間された中央壁１６７を含む。
【００３５】
また好ましくは、図５で示すように、補強手段１３０は、第二ブロック１３６に直面し、且つ、各レール１１２において、側壁１２０から第二ブロック１３６を含む補強手段に対向する方向に突出している柱１３８を含む。
【００３６】
つまり、図１〜図５に示した実施形態よる補強手段１３０は、好ましくは、シェルに対向する２つの平行面１２０に、有利にはレール１１２と平行である２つの平行面１２０に、突出している第一ブロック１３２と、第二ブロック１３６と、レール１１２と直交する他の２つの側壁１２０の柱１３８とを含む。また、補強手段１３６、１３８は、支持台２００用の配置手段として働くことが可能である。
【００３７】
図３及び図５に示すように、好ましくは、エラストマーの第二パッド２２０は、エネルギ貯蔵セル１の上端部に、特にエネルギ貯蔵セルの各角に配置される。このような第二パッド２２０は、押圧手段３００と関連している。もし、適切であるならば、レール１１２を直面するように配置されているシェルであって、該シェルと対向している２つの側壁１２０に隣接している押圧手段３００は、同一であってもよい。
【００３８】
しかしながら、図示された実施形態によると、２つの側壁１２０の近傍にそれぞれ設けられている押圧手段３００は、異なる幾何学的配置を有しており、図３及び図５にそれぞれ配置について示されている。しかしながら、当然に押圧手段はエネルギ貯蔵セット内に同一の幾何学的配置されてもよい。
【００３９】
前述した第二パッド２２０は、各エネルギ貯蔵セル１のハウジングの角に対して補完的な形状を有する。パッドは、互いに垂直であり、立方体の角にように配置される３つの壁２２２、２２４、２２６を含み、各壁は、角の付近においてハウジングの壁に沿って延びるように設計されている。このような第二パッド２２０によって、エネルギ貯蔵セル１が上部においての衝突や、シェルの１０の壁、特に上壁１１０Ｂ、との破壊的な接触を回避可能である。
【００４０】
また、先述したように、エネルギ貯蔵セットは、下壁１１０Ａに対するパッド２００、２２０を備えるエネルギ貯蔵セル１を補強する押圧手段３００を含み、該押圧手段３００はエネルギ貯蔵セルに第二パッド２２０を保持する。
【００４１】
図３に示すように、このような押圧手段３００は、サポートレバー３１０を含むことができ、該サポートレバー３１０は、中央アーム３１２と、中央アームの一端に向かって延在し、延在している方向は反対方向である２つの端部アーム３１４、３１６と、を備える。このように、サポートレバー３１０は、着脱可能に取付けられており、例えば、螺子によって、一方の端部アーム３１４によって補強用の第二ブロック１３６の上面に取付けられており、他端の第二ブロック１３６が、隣接する２つのエネルギ貯蔵セル１の２つの隣接する角に配置されている第二パッド２２０の上面２２６を支持するように、構成されており、これによって、エネルギ貯蔵セルに第二パッド２２０を保持し、下壁１１０Ａに対してエネルギ貯蔵セルを押圧している。
【００４２】
対向している側壁１２０においてもまた、エネルギ貯蔵セットは押圧手段３００を含む。押圧手段３００は、各柱１３８の上部に位置する基部１４０に配置されているＬ字形状の要素３２０を含む。各基部１４０は、シェルの下壁１１０Ａに対して予め決められた傾斜で傾いている傾斜上面１４２を含む。Ｌ字状の要素３２０は、相互に略垂直である２つのアーム３２２、３２６を含む。第一アーム３２２（あるいは長い方のアーム）は、任意の端部において基部１４０の傾斜上面１４２の補完的な傾斜を有する下端面３２３を有する。第一アーム３２２の下端面３２３は、基部１４０の傾斜上面１４２に配置されるように設計される。第二アーム３２６は、それぞれのエネルギ貯蔵セル１に第二パッド２２０を保持し、シェル１０の下壁１１０Ａにエネルギ貯蔵セル１を押圧するため、エネルギ貯蔵セル１の上面及び第二パッド２２０を支持するように設計される。第二アーム３２６の交差部は、水平ブランチ３２８及び垂直ブランチ３２７を含むＴ字部である。図４に示すように、Ｔ字部の垂直ブランチ３２７の幅の厚さは、Ｔ字部の垂直ブランチ３２７が水平ブランチ３２８から離れるにつれて、減少し、製造公差に関係なくエネルギ貯蔵セル１をより適切に補強可能とし、Ｔ字部の垂直ブランチ３２７はエネルギ貯蔵セットの内部に向かっている。さらに、第一アーム３２２は、第二アームと略同一の断面形状を有しており、つまり、エネルギ貯蔵セットの内部に向かうＴ字形状の垂直なブランチを形成している縦リブ３２４を含む。このような縦リブ３２４は、垂直ブランチ３２７のように、隣接するエネルギ貯蔵セル１の各対の間に配置されるように設計されている。サポートレバーのように、Ｌ字形状の要素３２０は、短手方向両端において隣接する２つのエネルギ貯蔵セル１を保持可能である。
【００４３】
Ｌ字形状の要素３２０は、従来のスライド取付け手段のおかげで基部１４０に関して、様々な位置に固定可能であることに留意されたい。当然ながら、Ｌ字形状の要素３２０は着脱可能である。このよう取付け手段は、螺子による取付けが可能であり、例えば、楕円形の孔が第一アーム３２２に接続されているソール３２１に形成されている。図５に示す実施形態によると、ソール３２１は、第一アーム３２２の一端で第二アーム３２６と反対方向であって、第二アームとは対向する対向側部に延在している。図４に示すように、ソール３２１は、側方が三角形状の平行フィン３２５によって、第一アーム３２２の長手側側部に接続されている。
【００４４】
それゆえ、第二アーム３２６が基部１４０及び下壁１１０Ａと相対的に一定の高さを有することができるように、基部１４０に関してＬ字形状の要素３２０をいくつかの位置に配置可能である。それゆえに、Ｌ字形状の要素３２０は、エネルギ貯蔵セル１の製造公差に応じて、下壁１１０Ａに対して押圧しなければならないエネルギ貯蔵セル１のための最も適当である高さを有することができる。
【００４５】
このように、一連のエネルギ貯蔵セットを組立てたいときには、変形可能な第一パッド２００がまず第一に下壁１１０Ａのレール１１２に配置され、エネルギ貯蔵セル１のそれぞれは、この目的のために与えられる位置に配置される。第一パッド２００は、隣接する各組のエネルギ貯蔵セル１の間に配置される。
【００４６】
第二パッド２２０は各エネルギ貯蔵セル１の上側の角に設けられ、押圧手段３１０及びＬ字形状の要素３２０は、押圧手段及びＬ字形状の要素３２０がエネルギ貯蔵セル１の上面２を荷重し、シェルの下壁にエネルギ貯蔵セルを押圧するように、下方のハーフシェル１００Ａに取付けられている。シンプルな設計である上方のハーフシェル１００Ｂは、下方のハーフシェル１００Ａに適用されている。
【００４７】
エネルギ貯蔵セットの組立て方法は、もしレール１１２、補強用のブロック１３２、１３６及び柱１３８がシェルのシェル壁の一部分に形成されてなかったら、上述したステップの前に、下方のハーフシェル１００Ａにレール１１２、補強用のブロック１３２、１３６及び柱１３８を設けるためのステップを含む。
【００４８】
エネルギ貯蔵セットを分解したいときには、上方のハーフシェル１００Ｂを取り外せば十分であり、図３に示すサポートレバー３１０の螺子を緩め、図５に示すエネルギ貯蔵セル１に対応しているＬ字形状の要素３２０は不完全（４要素全てで螺子が緩められている）であるとみなされる。
【００４９】
それゆえ、本発明に係るエネルギ貯蔵セットは、エネルギ貯蔵セットが、車両が通常通りに回転している状況（特に受けた振動にも関わらず）において、作動可能であることを保証しつつ、良好な分解性能及びシェル１０内においてエネルギ貯蔵セル１の良好な保持性能を有する。
【００５０】
本発明に係る第二実施形態について、図６から図８を参照しながら説明する。
【００５１】
支持台２３０は特に図６に関してさらに詳しく説明され、シェルに取付ける、又は、シェルに押圧するためのシステム３３０は図７に関してさらに詳しく説明され、エネルギ貯蔵セットの残りの構成は図１から図５に関して前述したエネルギ貯蔵セットの構成と同一である。
【００５２】
第二実施形態において、支持台を形成している全ての第三パッド２３０は、エネルギ貯蔵セルの下部又は上部に配置されているかに関わらず同一である。
【００５３】
本発明の実施形態のうち先述した第一パッド２００のように、第三パッドはレール１１２に（シェル１０の下部に）押圧可能である。
【００５４】
第三パッドは、第一共有壁２３２と、第一共有壁２３２と直交する第二共有壁２３６と、中央壁と、を含み、該中央壁は、主壁といわれ、第一共有壁及び第二共有壁と直交し、第一共有壁及び第二共有壁の間に形成された窪みにおいて中程度の幅で第一共有壁及び第二共有壁を接続している。
【００５５】
共有壁それぞれは、シェルのシェル壁（第一共有壁２３２に対する下壁１１０Ａ及び第二共有壁２３６に対する側壁１２０）に沿って延びており、エネルギ貯蔵セルのそれぞれの壁に対応している。中央壁は、その部分に対して、エネルギ貯蔵セルの間を延在するように設計されている。
【００５６】
第三パッド２３０は、中央壁２４０の厚み中央を通る対称面を有する。
【００５７】
第三パッド２３０は、中央壁２４０のいずれかの側方に配置された立方体の角のように形成された２つの凹部２３０Ａ、２３０Ｂを含み、これらは想定的に対称である。
【００５８】
２つの凹部２３０Ａ、２３０Ｂは、隣接するエネルギ貯蔵セル１の各対に属する１つのエネルギ貯蔵セル１の角との接触を有するように設計されている。
【００５９】
下端面２３２は、各エネルギ貯蔵セル１とシェル１０の下壁１１０Ａとの間に延在するように設計され、垂直な第二共有壁２３６は各エネルギ貯蔵セル１とシェル１０の側壁１２０との間に延在するように設計されている。第一共有壁及び第二共有壁のそれぞれは、中央壁２４０のいずれかの側方に向かって延在する。
【００６０】
中央壁２４０は、互いに略平行に突出している第二フィン２４２を備え、図１で示すように第一共有壁２３２に対して傾斜している。また、第二共有壁２３６は、互いに略平行に突出している第三フィン２３７を備え、中央壁２４０に対して傾斜している。第二フィン及び第三フィンそれぞれは、エネルギ貯蔵セル１がシェル１０に挿入されているときに中央壁２４０及び第二共有壁それぞれに対して変形しながら押圧されるように意図され、中央壁２４０及び第二共有壁２３６の垂直方向の寸法に関わらず各エネルギ貯蔵セル１の補強を可能とし、エネルギ貯蔵セル１の寸法に応じて中央壁２４０及び第二共有壁２３６それぞれに対して多かれ少なかれ折り重ねながらフィン２４２、２３７は多かれ少なかれ変形している。また、各エネルギ貯蔵セル１は、フィンの摩擦（先の実施形態で前述した逆さ防止形状２１５と等しく）のために位置を固定される。
【００６１】
また、第三フィン２３７は、たとえ寸法のバリエーションが同一方向にあったとしても、第三フィン２３７の寸法に対して垂直な寸法に沿って各エネルギ貯蔵セル１を補強可能であることに留意されたい。
【００６２】
図示したようにパッド２３０は、図１に示すように、レール１１２の形状と協働することによって、エネルギ貯蔵セットの下部に設けられ、図２に示したように、中央壁２４０の厚み中央に配置されている支持台内の穴２４４に挿入されている。また、レールは多くの実施形態を対象とすることができる。好ましくは、レール１１８はエネルギ貯蔵セットの寸法を超えて延在しないが、第一共有壁２３２に対して補完的な形状を有し、それゆえに穴部と同様に長手方向に同じ寸法を有する。
【００６３】
また、エネルギ貯蔵セットは、上部において、サポートレバー３１０及び先の実施形態によるＬ字形状の要素３２０に代わる押圧部３３０を含む。
【００６４】
また、押圧部３３０は一般的に相互に直角であるメイン壁３３２、３３６によって形成されたＬ字形状を有する。第一メイン壁３３２は、使用中にはシェル１０の側壁１２０に略平行である。第二メイン壁３３６は、使用中にはシェル１０の上壁に略平行である。
【００６５】
第一メイン壁３３２は、第二メイン壁に対向する下端において、フィン又はソールプレート３３１を備え、フィン又はソールプレート３３１は第一メイン壁３３２と略垂直であり、シェル１０の第二ブロックのように、ブロックの端部に配置されるように設計されている。高さのバリエーションによって、支持台の第二フィン２４２を使用する本構成において管理可能である。しかしながら、ソールプレート３３１は、変形例として、図４に示すように傾斜可能である。ソールプレート３３１は、押圧部３３０が第一メイン壁３３２の垂直方向によるエネルギ貯蔵セル１の寸法に応じて柱１３８に関して幾つかの位置に配置可能であるように、第二ブロック１３６の押圧部３３０を取付けるための傾斜穴３３３を含む。
【００６６】
また、第一メイン壁３３２は、押圧部３３０の凹部の内部に向かっている窪み３３４を含み、もし必要なら、ケーブルのような電気的接続手段を通すことを可能とすることに留意されたい。
【００６７】
Ｌ字形状の要素３２０において前述したように、押圧部３３０は第二メイン壁３３６の内側に中央リブ３３７を含、中央リブ３３７は、隣接している２つのエネルギ貯蔵セルの間に、下壁１１０Ａにおいてレールの上方を垂直となるように配置されるように設計されている。中央リブ３３７は、第三パッドに取付けられており、壁３３４に対向する端部において面取り部３３８を有する。
【００６８】
中央リブ３３７は、図７に示すように、挟持することで押圧部３３０に適合可能である。また、中央リブは押圧部と連続的であってもよい。
【００６９】
当然ながら、本発明は前述した実施形態に限定されず、技術的思想に準拠している変形例まで及ぶ。
【００７０】
本発明によるエネルギ貯蔵セット及びエネルギ貯蔵セットの組立て方法は、前述した内容に限定されず、特に下記に限定されないことに留意されたい。
−上方の第二パッドであるような場合、第一ブロック１３２及び第二ブロック１３６は任意である。
−パッド又は支持台２００、２２０、２３０は前述した形状に限定されない。さらに、前述した支持台２００、２２０、２３０は、エネルギ貯蔵セット内で他の位置に配置可能であり、特に上部に配置可能である。
−例えば、支持台は、シェルのシェル壁に沿って寸法を超えて延びている少なくとも１つの共有壁を含むことができる。また、支持台は、共有壁から突出している複数の突出壁を含むことが可能であり、突出壁は連続しているエネルギ貯蔵セルの各対の間を延在しているメイン壁を形成するように設計されている。このような実施形態に係る支持台は、櫛の形状を有する。
−パッド２００、２２０、２３０はエネルギ貯蔵セットの壁（１１０、１２０）の１つで（特にもう一度オーバーモールドされて）形作られることが可能である。
−パッド２００、２２０、２３０は、隣接している２つのエネルギ貯蔵セルの間を延在可能である。
−押圧手段３００は、（一つの型、Ｌ字形状の要素３２０、３３０又はサポートレバー３１０）ある実施形態と同一にすることが可能である。
−特に、図１から図５に示された実施形態の設計において、シェル１０は、境界線を越えて同一の柱１３８を含むことが可能であり、また押圧部３００はおそらく１つの型からなる押圧手段を形成している。
−押圧手段３００は、エネルギ貯蔵セルの上面に対して押圧している上壁１１０Ｂからなることが可能である。
−押圧手段３００は、２つの撚線によって形成され、繋がれた一端が下壁に接続される少なくとも１つのストラップ３４０からなり、ストラップは少なくとも１つのエネルギ貯蔵セルを囲むために任意の端部近傍に協働するように設計されている。好ましくは、図８に概略的に示すように、エネルギ貯蔵セル１のそれぞれは離れている。
−同じ押圧手段３００は、（例えば交差材を保持することで）下壁１１０Ａに対して全てのエネルギ貯蔵セル１を押圧可能である。
−シェル１０の形状は、図１に示すような２つのハーフシェル１００の形状に限定されない。
−シェルは、不備のあるエネルギ貯蔵セル１がシェルから取り外されている壁が上壁ではなく、他の壁であるように、設けられことが可能である。
【図１】
0006357227.tif 000002
【図２】
0006357227.tif 000003
【図３】
0006357227.tif 000004
【図４】
0006357227.tif 000005
【図５】
0006357227.tif 000006
【図６】
0006357227.tif 000007
【図７】
0006357227.tif 000008
【図８】
0006357227.tif 000009